(57)【要約】【課題】  被写体輝度が低く光学ファインダで視認が困難な場合でも、画像表示部を用いて撮影の構図を思い通りに決めることができるようなデジタルカメラを提供する。【解決手段】  光学ファインダとライブビュー表示可能な画像表示部と測光部を備え、被写体輝度が第１の閾値以下の場合、画像表示部にライブビュー画像を自動的に表示する画像表示制御部を備えたデジタルカメラ。【選択図】        図１
2006094133.tif 000002
【特許請求の範囲】
【請求項１】
被写体を観察するための光学ファインダ、
前記被写体を撮像し画像信号を得る撮像素子、
前記撮像素子から得られた画像信号を処理する画像処理部、
前記画像処理部で処理された画像信号に基づく画像を表示する画像表示部
及び前記被写体の被写体輝度を測定する輝度測定部を有するデジタルカメラにおいて、
前記輝度測定部で測定された被写体輝度が第１の閾値以下の場合、前記画像処理部で処理された画像を前記画像表示部に表示させる表示制御部を備えたことを特徴とするデジタルカメラ。
【請求項２】
前記画像処理部は、前記輝度測定部で測定された被写体輝度に応じて、前記撮像素子から得られた画像信号にゲイン設定を含む画像処理を行い、
前記表示制御部は、前記画像処理部でゲイン設定を含む画像処理が行われた画像信号に基づく画像を前記画像表示部に表示させることを特徴とする請求項１に記載のデジタルカメラ。
【請求項３】
前記輝度測定部は、前記撮像素子から得られた画像信号に基づいて前記被写体の輝度を測定することを特徴とする請求項１又は２に記載のデジタルカメラ。
【請求項４】
前記表示制御部は、前記画像処理部で処理された画像信号に基づく画像を前記画像表示部に表示させた後、前記輝度測定部で測定された被写体輝度が第２の閾値以上となった場合に、前記画像表示部の画像表示を停止させることを特徴とする請求項１乃至３の何れか１項に記載のデジタルカメラ。
【請求項５】
前記輝度測定部で測定された被写体輝度が第１の閾値以下の場合、光で自動表示を告知する光告知手段を備えることを特徴とする請求項１乃至４の何れか１項に記載のデジタルカメラ。
【請求項６】
前記輝度測定部で測定された被写体輝度が第１の閾値以下の場合、音で自動表示を告知する音告知手段を備えることを特徴とする請求項１乃至５の何れか１項に記載のデジタルカメラ。
【請求項７】
前記輝度測定部で測定された被写体輝度が第１の閾値以下の場合、振動で自動表示を告知する振動告知手段を備えることを特徴とする請求項１乃至６の何れか１項に記載のデジタルカメラ。
【発明の詳細な説明】
【技術分野】
【０００１】
本発明は、デジタルカメラに関する。特に、光学ファインダと画像表示部とを備えたデジタルカメラに関するものである。
【背景技術】
【０００２】
近年、液晶モニタ等の画像表示部以外に光学ファインダを搭載したデジタルカメラの普及が進んでいる（例えば、特許文献１参照）。光学ファインダを搭載したデジタルカメラでは、撮影時は光学ファインダを用い、撮影画像の再生時には液晶モニタ等の画像表示部を用いるのが一般的である。しかし、光学ファインダは、明るい場所では被写体の視認性が非常によく使い勝手がよいが、暗い場所では被写体を視認することが難しく、撮影の構図を思い通りに決めることが困難である。
【０００３】
一方、液晶モニタ等の画像表示部に被写体のライブビュー画像を表示して撮影時のファインダとすることもできる。この場合、一般的にはライブビュー画像は、被写体の輝度に合わせて撮像素子からの映像信号のゲインを変更して表示しているため、暗い場所での撮影時にはゲインアップされた画像を用いて容易に被写体を視認することができ、光学ファインダではなく液晶モニタ等の画像表示部を用いることで、撮影の構図を思い通りに決めることができる。しかしながら、明るい場所では液晶モニタ等の画像表示部は非常に見にくくなる。そこで、外光量を検出する手段で検出した周囲の明るさに基づいて、反射型液晶ディスプレイの表示画面を照明する光源をＯＮ／ＯＦＦ制御すると共に、その照明光量を自動調整するものが提案されている（例えば、特許文献２参照）。
【０００４】
しかしながら、周囲の明るさに合わせて照明を自動調整しても、周囲光の影響を完全になくすことはできず、明るい場所では、液晶モニタ等の画像表示部を用いて撮影の構図を決めることは難しく、ファインダを覗き込むことで周囲光の影響をなくして撮影の構図を決めることに専念できる光学ファインダの効果は大きい。従って、明るい時には光学ファインダを用いて撮影し、暗い場合は、画像表示部を用いて撮影するのがよい。
【０００５】
そこで、光学ファインダを有したカメラにおいて、夜間等の低輝度条件においては、撮影者は回転操作部材を操作することによって、観察用ミラー、近赤外光照射ランプ、撮像素子及び液晶表示装置を動作させ、撮像素子の近赤外線撮影による電子画像を光学ファインダの光路中に配置された光学部材であるハーフミラーを経て、接眼レンズに導くものが提案されている（例えば、特許文献３参照）。これによって、夜間等の低輝度時の撮影においても、昼間等の高輝度時の場合と同様に、光学ファインダの接眼レンズを覗き込んで構図確認やピント調整をしてから、レリーズ操作して撮影することができるようにするものである。
【特許文献１】特開平１１−２５２４１４号公報（図２）
【特許文献２】特開２０００−１００６８号公報
【特許文献３】特開２００２−１３９７７２号公報
【発明の開示】
【発明が解決しようとする課題】
【０００６】
しかしながら、特許文献３で提案された方法では、光学ファインダを用いて撮影を行っているときに、被写体輝度が低下して被写体を視認することが困難になってきたら、撮影者は自分自身で回転操作部材を操作して液晶表示装置を起動して画像を表示しなければならないので、撮影に専念できず、甚だ使い勝手がよくない。
【０００７】
本発明は、上記事情に鑑みてなされたもので、光学ファインダと画像表示部とを備えたデジタルカメラにおいて、被写体輝度が低下して被写体を光学ファインダで視認することが困難になっても、操作性が良好で、撮影者が撮影に専念できるデジタルカメラを提供することを目的とする。
【課題を解決するための手段】
【０００８】
本発明の目的は、下記構成により達成することができる。
【０００９】
（請求項１）
被写体を観察するための光学ファインダ、
前記被写体を撮像し画像信号を得る撮像素子、
前記撮像素子から得られた画像信号を処理する画像処理部、
前記画像処理部で処理された画像信号に基づく画像を表示する画像表示部
及び前記被写体の被写体輝度を測定する輝度測定部を有するデジタルカメラにおいて、
前記輝度測定部で測定された被写体輝度が第１の閾値以下の場合、前記画像処理部で処理された画像を前記画像表示部に表示させる表示制御部を備えたことを特徴とするデジタルカメラ。
【００１０】
（請求項２）
前記画像処理部は、前記輝度測定部で測定された被写体輝度に応じて、前記撮像素子から得られた画像信号にゲイン設定を含む画像処理を行い、
前記表示制御部は、前記画像処理部でゲイン設定を含む画像処理が行われた画像信号に基づく画像を前記画像表示部に表示させることを特徴とする請求項１に記載のデジタルカメラ。
【００１１】
（請求項３）
前記輝度測定部は、前記撮像素子から得られた画像信号に基づいて前記被写体の輝度を測定することを特徴とする請求項１又は２に記載のデジタルカメラ。
【００１２】
（請求項４）
前記表示制御部は、前記画像処理部で処理された画像信号に基づく画像を前記画像表示部に表示させた後、前記輝度測定部で測定された被写体輝度が第２の閾値以上となった場合に、前記画像表示部の画像表示を停止させることを特徴とする請求項１乃至３の何れか１項に記載のデジタルカメラ。
【００１３】
（請求項５）
前記輝度測定部で測定された被写体輝度が第１の閾値以下の場合、光で自動表示を告知する光告知手段を備えることを特徴とする請求項１乃至４の何れか１項に記載のデジタルカメラ。
【００１４】
（請求項６）
前記輝度測定部で測定された被写体輝度が第１の閾値以下の場合、音で自動表示を告知する音告知手段を備えることを特徴とする請求項１乃至５の何れか１項に記載のデジタルカメラ。
【００１５】
（請求項７）
前記輝度測定部で測定された被写体輝度が第１の閾値以下の場合、振動で自動表示を告知する振動告知手段を備えることを特徴とする請求項１乃至６の何れか１項に記載のデジタルカメラ。
【発明の効果】
【００１６】
請求項１に記載の発明によれば、光学ファインダを用いて撮影を行っているときに、被写体輝度が低下して光学ファインダでの被写体の視認が困難になったら、自動的に液晶モニタ等の画像表示部にライブビュー画像が表示されるので、撮影者は、表示スイッチをオンするといったような操作を自分自身で行う必要なしに画像表示部を用いた撮影へと移行することができ、非常に操作性が向上すると共に、撮影に専念できる。
【００１７】
請求項２に記載の発明によれば、画像処理部でゲイン設定を含む適切な画像処理が施されたライブビュー画像が画像表示部に表示されるので、撮影者は、画像表示部で被写体を的確に視認でき、撮影に専念できる。
【００１８】
請求項３に記載の発明によれば、被写体輝度の測光を、撮像素子から出力される画像に基づいて行うので、新たな測光手段を追加することなく上記効果を得ることができ、カメラの低コスト化、小型化が図れる。
【００１９】
請求項４に記載の発明によれば、液晶モニタ等の画像表示部に一度自動的にライブビュー画像が表示された後は、自動的にライブビュー画像が表示される被写体の明るさの閾値にヒステリシスを持たせることで、ライブビュー画像が頻繁に点灯と消灯を繰り返すことを防止することができ、操作性が向上する。
【００２０】
請求項５乃至７に記載の発明によれば、液晶モニタ等の画像表示部に画像が自動的に表示されたことを、光学的手段、発音手段、振動手段等を用いて告知することで、撮影者が光学ファインダを覗いたままでも画像の自動表示が行われたことを認識することができるようになり、より一層操作性が向上する。
【発明を実施するための最良の形態】
【００２１】
以下、図面に基づき本発明の実施の形態を説明する。
【００２２】
図１は、本発明に係るデジタルカメラ１の外観模式図で、図１（ａ）は正面図、図１（ｂ）は背面図である。
【００２３】
デジタルカメラ１の正面のカメラを把持する部分には、グリップ１０５が設置され、その内部には振動モータ１０６が配置されている。振動モータ１０６は、振動で告知を行う振動告知手段として機能する。
【００２４】
又、デジタルカメラ１の正面には、測光部１０３の測光センサ用レンズ１０３ａ、光学ファインダ１０４の対物部１０４ｂ、撮影レンズ１０７も設置されている。
【００２５】
デジタルカメラ１の上面には、レリーズボタン１０１と、カメラの動作モードを設定するモード設定ダイアル１０２が設置されている。カメラの動作モードには、カメラモード、再生モード、通信モード、音声モード等があり、択一的に選択できる。
【００２６】
デジタルカメラ１の背面には、電源スイッチ１１０と、光学ファインダ１０４の接眼部１０４ａが設置されている。又、光学ファインダ１０４の接眼部１０４ａの近傍には、接眼表示部１１２とスピーカ１１４が設置されている。接眼表示部１１２は、ＬＥＤ等で構成され、光で告知を行う光学告知手段として機能し、スピーカ１１４は音で告知を行う発音告知手段として機能する。
【００２７】
デジタルカメラ１の背面には、液晶パネル等で構成される画像表示部１１３も設置され、撮像されている画像のライブビューや撮影された画像の再生画像、各種設定画面の表示等が可能である。又、画像表示部への表示のオン／オフを設定する表示スイッチ１１１も設置されている。
【００２８】
図２は本発明に係るデジタルカメラ１の回路ブロック図である。図中、図１と同じ部分には同じ番号を付与した。
【００２９】
制御部であるカメラコントローラ１００は、図示しないＣＰＵ（中央処理装置）、ワークメモリ等から構成され、図示しない記憶部に記憶されているプログラムをワークメモリに読み出し、当該プログラムに従ってデジタルカメラ１の各部を集中制御するとともに、電源スイッチ１１０、モード設定ダイアル１０２、レリーズボタン１０１、表示スイッチ１１１等の設定状態を読み取り、設定状態に合わせてデジタルカメラ１の動作を制御する。更に、カメラコントローラ１００は、測光センサ用レンズ１０３ａ、測光センサ１０３ｂ、測光回路１０３ｃからなる測光部１０３の出力を読み込み、画像制御部１２４に被写体輝度情報１０３ｄを送信する。すなわち測光部１０３は、本発明の輝度測定部として機能する。被写体輝度情報１０３ｄは例えばＢｖ（ブライトネスバリュ）値を用いることができる。
【００３０】
又、カメラコントローラ１００は、その内部に点灯時間タイマ１４１を持ち、画像表示制御部１３１によって画像表示部１１３にライブビュー画像が自動的に表示された場合に、接眼表示部１１２、スピーカ１１４、振動モータ１０６のいずれか一つあるいは複数の組合せ又は全てを用いて、点灯時間タイマ１４１の出力に従って自動表示を告知する。更に、カメラコントローラ１００は、その内部に警告タイマ１４２を持ち、被写体が暗すぎてゲイン設定や画像処理を最大限に行っても画像表示部１１３に視認性のよい画像が表示できないと判断された場合、警告タイマ１４２の出力に従って画像表示部１１３に画像表示不可の警告を表示する。
【００３１】
撮影レンズ１０７によって結像される画像は、撮像素子１２１で撮像された後、ゲインアンプ１２２で増幅され、画処理部１２３で画像処理を施したデジタル画像データに変換され、画像制御部１２４によって画像メモリ１２５に蓄えられる。ゲインアンプ１２２と画処理部１２３を合わせて画像処理部１２６と総称する。画像処理部１２６は、本発明の画像処理部として機能する。画像制御部１２４は、カメラコントローラから送信された被写体輝度情報１０３ｄに従って、撮像される画像を適正な出力レベルに合わせるために、撮影レンズ１０７の絞り（不図示）の絞り値及びメカシャッタ（不図示）のシャッタ速度、撮像素子１２１の撮像時間、ゲインアンプ１２２のゲイン等を制御する。撮像された画像を適正な出力レベルに合わせるためのこれらの制御を、ゲイン設定と総称する。
【００３２】
又、画処理部１２３及び画像制御部１２４は、撮像される画像を画像表示部１１３での視認性のよい画像とするために、カメラコントローラから送信された被写体輝度情報１０３ｄに従って、エッジ強調、カラーバランス処理、ノイズ除去等の画処理を行う。前記ゲイン設定及び前記画処理を合わせて、画像処理と総称する。
【００３３】
画像表示制御部１３１は、画像メモリ１２５に蓄えられた画像データを画像制御部１２４経由でライブビュー画像信号１２７として受け取り、カメラコントローラ１００によって読み取られた表示スイッチ１１１の設定状態に合わせて、画像表示部への表示を行うか否かを制御する。すなわち、本発明の画像表示制御部として機能する。
【００３４】
次に、本発明に係るデジタルカメラ１での画像表示部の制御を、図３及び図４を用いて説明する。図３及び図４は、デジタルカメラ１での画像表示制御の流れを示すフローチャートである。
【００３５】
まず、ステップＳ０１で電源スイッチ１１０が操作されてカメラの電源がオンされると、ステップＳ０２で起動時の動作モードが判別される。ここでは、モード設定ダイアル１０２を用いて「カメラモード」に設定されているとして、カメラモードが起動される。カメラモード以外の動作モード（例えば、再生モード）での制御については説明を省略する。
【００３６】
カメラモードが起動された場合は（ステップＳ０２；ＹＥＳ）、ステップＳ１１で、ＣＣＤ１２１で撮像されている画像を画像表示部１１３にライブビュー表示するか否かが判別される。表示スイッチ１１１が画像表示オン状態に設定されている場合は（ステップＳ１１；ＹＥＳ）、ステップＳ１２で画像表示部の電源がオンされる。次に、ステップＳ１３で測光部１０３による測光が行われ、その結果によりステップＳ１４でゲイン設定と画像処理が適正に施されることにより被写体の明るさに応じた視認しやすい画像が得られ、ステップＳ１５で画像表示部１１３にライブビュー画像が表示される。
【００３７】
ステップＳ１６でレリーズボタン１０１が押されたかどうかが判別される。レリーズボタン１０１が押されていなければ（ステップＳ１６；ＮＯ）、ステップＳ１３からステップＳ１６の処理を繰り返しながらレリーズボタン１０１が押されるのを待つ。レリーズボタン１０１が押された場合（ステップＳ１６；ＹＥＳ）、ステップＳ１７で通常の方法で撮影を行い、ステップＳ１１に戻る。
【００３８】
ステップＳ１１で表示スイッチ１１１が画像表示オフ状態に設定されている場合は（ステップＳ１１；ＮＯ）、ステップＳ２１で画像表示部の電源がオフにされる。ステップＳ２２で測光部１０３による測光が行われ、ステップＳ２３で測光部１０３による測光結果が第１の閾値（本例ではＢｖ＝−１）以上かどうかが判定される。前記第１の閾値は、使用する光学ファインダでの被写体の視認可能限界の明るさから設定され、予め図示しない記憶部に記憶されている。被写体の明るさが第１の閾値以上の場合（ステップＳ２３；ＹＥＳ）、ステップＳ２４でレリーズボタン１０１が押されたかどうかが判別される。レリーズボタン１０１が押されていなければ（ステップＳ２４；ＮＯ）、ステップＳ２２に戻って測光と明るさ判定が継続されてレリーズボタン１０１が押されるのを待つ。レリーズボタン１０１が押された場合（ステップＳ２４；ＹＥＳ）、ステップＳ２５で通常の方法で撮影が行われ、ステップＳ１１に戻る。
【００３９】
被写体の明るさが第１の閾値以下の場合（ステップＳ２３；ＮＯ）、図４のステップＳ３０で測光部１０３による測光結果が前述の第１の閾値（本例ではＢｖ＝−１）よりも低輝度の第３の閾値（本例ではＢｖ＝−５）以上かどうかが判定される。前記第３の閾値は、前記ゲイン設定及び前記画像処理を最大限に行った場合の画像表示部での被写体の視認可能限界の明るさから設定され、予め図示しない記憶部に記憶されている。被写体の明るさが第３の閾値以上の場合（ステップＳ３０；ＹＥＳ）、ステップＳ３１で、表示スイッチ１１１の設定がオフであるに関わらず、画像表示部１１３の電源が自動的にオンされ、ステップＳ３２で測光結果に合わせてゲイン設定と画像処理が適正に施されることにより被写体の明るさに応じた視認しやすい画像が得られ、ステップＳ３３でライブビュー画像が画像表示部１１３に自動的に表示される。
【００４０】
次に、ステップＳ３４で光学ファインダ１０４内又は光学ファインダ１０４の接眼部１０４ｂの近傍に配置されたＬＥＤ等から成る接眼表示部１１２が点灯され、撮影者に画像表示部１１３へのライブビュー画像の自動表示が告知される。ステップＳ３５で点灯時間タイマ１４１がカウントアップされ、ステップＳ３６で接眼表示部１１２の既定の点灯時間が経過したかどうかが判断される。既定の点灯時間が経過した場合（ステップＳ３６；ＹＥＳ）には、ステップＳ３７で接眼表示部１１２が消灯される。
【００４１】
ステップＳ３８で、レリーズボタン１０１が押されたかどうかが判断され、押された場合（ステップＳ３８；ＹＥＳ）、ステップＳ３９で通常の方法で撮影が行われ、ステップＳ４０で画像表示部１１３へのライブビュー画像の自動表示がオフされ、図３のステップＳ１１に戻る。上記設定では表示スイッチはオフであるから、ステップＳ１１での判定は「ＮＯ」となり、図３のステップＳ２１に進む。以下、上述のシーケンスが繰り返される。
【００４２】
図４のステップＳ３８でレリーズボタン１０１が押されていなかった場合（ステップＳ３８；ＮＯ）、ステップＳ６１で測光部１０３による測光が行われ、ステップＳ６２で測光部１０３による測光結果が前述の第１の閾値（本例ではＢｖ＝−１）よりも高輝度の第２の閾値（本例ではＢｖ＝０）以上かどうかが判定される。前記第２の閾値も、前記第１及び第３の閾値と同様、予め図示しない記憶部に記憶されている。測光結果が第２の閾値以下の場合（ステップＳ６２；ＮＯ）、被写体の明るさが変化していないと判断して、ステップＳ３８に戻る。ステップＳ２３での第１の閾値とステップＳ６２での第２の閾値に差を設けることで、測光部１０３での測光結果の判定にヒステリシスを持たせることができ、一度画像表示部に自動表示された画像が頻繁に点灯と消灯を繰り返すことを防止することができる。
【００４３】
ステップＳ６２で、測光結果が第２の閾値よりも明るい場合（ステップＳ６２；ＹＥＳ）、被写体が明るくなって光学ファインダで容易に視認できるようになったと判断して、ステップＳ６３で画像表示部１１３へのライブビュー表示を消灯し、図３のステップＳ１１に戻る。
【００４４】
ステップＳ３６で接眼表示部１１２の既定の点灯時間が経過していない場合（ステップＳ３６；ＮＯ）、ステップＳ５１でレリーズボタン１０１が押されたかどうか判断され、押されていた場合（ステップＳ５１；ＹＥＳ）、ステップＳ５２で接眼表示部１１２が消灯された後、ステップＳ３９で通常の方法で撮影が行われる。以下、上述のステップＳ３９以降のシーケンスに進む。
【００４５】
ステップＳ５１でレリーズボタン１０１が押されていない場合（ステップＳ５１；ＮＯ）には、ステップＳ３６に戻って点灯時間タイマ１４１がカウントアップされ、接眼表示部１１２の既定の点灯時間が経過するかレリーズボタン１０１が押されるまでステップＳ３５からステップＳ５１のシーケンスを繰り返す。
【００４６】
ステップＳ３０で、被写体の明るさが第３の閾値以下の場合（ステップＳ３０；ＮＯ）には、被写体が暗すぎてゲイン設定や画像処理を最大限に行っても画像表示部１１３に視認性のよい画像が表示できないと判断して、ステップＳ７１で画像表示部１１３の電源がオンされ、ステップＳ７２で画像表示部１１３に画像表示不可の警告（例えば「暗すぎて画像が表示できません」）が表示される。ステップＳ７３からステップＳ７４で警告タイマ１４２を用いて既定の警告表示時間がカウントされ、規定の時間経過後、ステップＳ７５で画像表示不可の警告がオフされ、ステップＳ７６で画像表示部１１３の電源がオフされ、ステップＳ７７でカメラの電源がオフされる。
【００４７】
なお、本実施の形態において、画像表示部１１３への自動表示の告知手段として接眼表示部１１２の代わりにスピーカ１１４を用いて音で自動表示を告知してもよいし、携帯電話のマナーモードのように振動モータ１０６を用いて自動表示を告知してもよい。これらの告知手段を組み合わせて自動表示を告知してもよいし、モード設定ダイアル１０２等を用いて告知手段の切替が設定できるようにしてもよい。前記画像表示不可の警告についても、画像表示部１１３への表示に限定されるものではなく、光学告知手段、発音告知手段、振動告知手段を用いての警告でもよいし、これらの組合せでもよい。もちろん、警告を行わずにカメラ電源をオフしてもよいし、カメラ電源はオフせず、待機状態としてもよい。
【００４８】
又、本実施の形態においては、測光手段として別設の測光部１０３を用いたが、その代わりに撮像素子１２１を用いてもよい。この場合、被写体輝度情報１０３ｄは、撮像素子１２１から得られた画像信号に基づいて、画処理部１２３で生成され、画像制御部１２４に出力される。すなわち、画処理部１２３が輝度測定部として機能するものである。この場合、測光部１０３を別設する必要がないので、カメラのコスト低減や小型化に寄与する。
【００４９】
更に、本実施の形態においては、測光結果の判定にヒステリシスを持たせて、ライブビュー画像が一度自動的に表示された後に画像表示部１１３が頻繁に点灯と消灯を繰り返すことを防止するように構成されているが、一度自動的に表示された後は、レリーズボタン１０１が押されて撮影が行われるか、表示スイッチ１１１が再度オンされた後オフされるか、電源スイッチ１１０がオフされるか、モード設定ダイアル１０２が操作されて動作モードが変更されるまでは自動表示を継続するようにしてもよい。
【００５０】
その他、本発明に係るデジタルカメラを構成する各構成の細部構成及び細部動作に関しても、本発明の趣旨を逸脱することのない範囲で適宜変更可能である。
【図面の簡単な説明】
【００５１】
【図１】本発明に係るデジタルカメラの外観模式図である。
【図２】本発明に係るデジタルカメラの回路ブロック図である。
【図３】本発明に係る画像表示の制御を示すフローチャート（１／２）である。
【図４】本発明に係る画像表示の制御を示すフローチャート（２／２）である。
【符号の説明】
【００５２】
１  デジタルカメラ
１００  カメラコントローラ
１０１  レリーズボタン
１０２  モード設定ダイアル
１０３  測光部
１０３ａ  測光センサ用レンズ
１０３ｂ  測光センサ
１０３ｃ  測光回路
１０３ｄ  被写体輝度情報
１０４  光学ファインダ
１０４ａ  光学ファインダ接眼部
１０４ｂ  光学ファインダ対物部
１０５  グリップ
１０６  振動モータ
１０７  撮影レンズ
１１０  電源スイッチ
１１１  表示スイッチ
１１２  接眼表示部
１１３  画像表示部
１１４  スピーカ
１２１  撮像素子
１２２  ゲインアンプ
１２３  信号処理部
１２４  画処理部
１２５  画像メモリ
１２６  画像処理部
１２７  ライブビュー画像信号
１３１  画像表示制御部
１４１  点灯時間タイマ
１４２  警告タイマ
【図１】
2006094133.tif 000003
【図２】
2006094133.tif 000004
【図３】
2006094133.tif 000005
【図４】
2006094133.tif 000006